(57)【要約】      （修正有）【課題】作製にかかるコストを抑えながらも収容する商品の見栄えをよくすることができ、立設片からの商品の脱落を防止することができる包装用箱を提供する。【解決手段】１枚のシートを組み立ててなる略直方体状の包装用箱であり、包装用箱の側壁面構成部分の稜線における底部領域から所定高さの立設片１が一体的に延設され、立設片１の底部とは反対側の上端側に商品を載せた状態で収容包装する包装用箱であって、立設片１が略直方体状の包装用箱の矩形形状の底部を構成する一方の角部からその角部に対峙する他方の角部に向かって平面状に延びており、かつ、立設片１の上側に、側壁面の稜線と垂直な方向に延びる折線２を介して、上端辺側に上辺Ｙを備える包装用箱。【選択図】図１
2016124580.tif 000002
【特許請求の範囲】
【請求項１】
１枚のシートを組み立ててなる略直方体状の包装用箱であり、
該包装用箱の側壁面構成部分の稜線における底部領域から所定高さの立設片が一体的に延設され、該立設片の底部とは反対側の上端側に商品を載せた状態で収容包装する包装用箱であって、
該立設片が略直方体状の包装用箱の矩形形状の底部を構成する一方の角部からその角部に対峙する他方の角部に向かって平面状に延びており、
かつ、立設片の上側に、側壁面の稜線と垂直な方向に延びる折線を介して、上端辺側に上辺を備える包装用箱。
【請求項２】
前記立設片には、前記側壁面構成部分と連続する上端側に、前記立設片の上辺と前記側壁面構成部分とが離間するように切り欠き部が設けられている請求項１に記載の包装用箱。
【請求項３】
前記切り欠き部の端縁は、少なくとも前記立設片の上辺との境界が曲線で形成されている請求項２に記載の包装用箱。
【請求項４】
前記立設片の上辺は、立設片の延設方向の中間領域において、前記折線に至る切目が少なくとも１つ入れられている請求項１〜３のいずれか１項に記載の包装用箱。
【請求項５】
前記立設片の上辺に段差が少なくとも１つ設けられている請求項１〜４のいずれか１項に記載の包装用箱。
【請求項６】
前記折線は、ハーフカット加工、ミシン目加工、ハーフカットミシン目加工から選択される加工により設ける請求項１〜５のいずれか１項に記載の包装用箱。
【発明の詳細な説明】
【技術分野】
【０００１】
本発明は、化粧品等の商品を店頭で販売するために、その商品を収容包装する包装用箱に関するものである。
【背景技術】
【０００２】
化粧品等の商品は、ブリスターパックに収容され、スーパーマーケットやコンビニエンスストア等において陳列され、セルフ方式で販売される場合がある。しかし、ブリスターパックでは、化粧品等を収容する収容部を形成するために、ブリスターケースを真空成形する必要があり、この真空成形には高いコストがかかるという問題があった。
この問題を解消するために、底部に所定高さの立設片が設けられ、商品をその立設片に載せた状態で収容包装でき、１枚のシートより組み立ててなる包装用箱が提案されている（特許文献１参照）。
【０００３】
しかしながら、特許文献１で提案されている包装用箱では、商品を収納した状態で輸送等を行った場合に、振動により商品が立設片から脱落してしまうことがあった。商品が立設片から脱落してしまうと、店頭での陳列時の見栄えが悪くなってしまったり、商品が破損したりする等の問題があった。
【先行技術文献】
【特許文献】
【０００４】
【特許文献１】特開２００２−３４７７５２号公報
【発明の概要】
【発明が解決しようとする課題】
【０００５】
本発明は、このような事情に鑑みなされたもので、作製にかかるコストを抑えながらも収容する商品の見栄えをよくすることができ、立設片からの商品の脱落を防止することができる包装用箱を提供することを課題とする。
【課題を解決するための手段】
【０００６】
本発明者は、１枚のシートを組み立ててなる包装用箱であって、商品を載せる立設片に、その上端辺と略平行となるように折線を設けることによって、上記課題を解決し得ることを見出した。
すなわち、本発明は、１枚のシートを組み立ててなる略直方体状の包装用箱であり、該包装用箱の側壁面構成部分の稜線における底部領域から所定高さの立設片が一体的に延設され、該立設片の底部とは反対側の上端側に商品を載せた状態で収容包装する包装用箱であって、該立設片が略直方体状の包装用箱の矩形形状の底部を構成する一方の角部からその角部に対峙する他方の角部に向かって平面状に延びており、かつ、立設片の上側に、側壁面の稜線と垂直な方向に延びる折線を介して、上端辺側に上辺を備える包装用箱に関する。
【発明の効果】
【０００７】
本発明の包装用箱によれば、作製にかかるコストを抑えながらも収容する商品の見栄えをよくすることができ、立設片からの商品の脱落を防止することができる。
【図面の簡単な説明】
【０００８】
【図１】本発明の包装用箱の一実施の形態を示す斜視図である。
【図２】本発明の包装用箱を示す横断面図である。
【図３】本発明の包装用箱の底部を示す一部が破断した正面図である。
【図４】本発明の包装用箱の展開図である。
【図５】本発明の包装用箱の立設片の変形例（その１）を示す説明図である。
【図６】本発明の包装用箱の立設片の変形例（その２）を示す説明図である。
【図７】本発明の包装用箱の立設片の変形例（その３）を示す説明図である。
【図８】本発明の包装用箱の立設片の変形例（その４）を示す説明図である。
【発明を実施するための形態】
【０００９】
本発明の実施の形態を図面に基づいて詳しく説明する。
【００１０】
図１〜図３は、本発明の包装用箱の一実施の形態を示している。この実施の形態では、包装用箱は、１枚の透明なプラスチック製シート１０（図４参照）を折り曲げて組み立てた高さ方向に長い直方体状をしており、口紅等の細長い柱状、好適には円柱状の商品Ａを収容包装するためのものとなっている。また、この包装用箱は、箱の内部の底部近傍において、矩形形状、好ましくは長方形状の立設片１が第１側壁面１１ａから一体的に延設されて、組み立てられた包装用箱の矩形形状の底部を構成する一方の角部からその角部に対峙する他方の角部に向かって対角状に延びている。そして、立設片１には、第１側壁面１１ａの外縁から垂直な方向に延びる折線２、好適には立設片１の上端辺Ｘと平行な折線２が設けられている。立設片１において、折線２と端縁で囲まれた領域が上辺Ｙとなる（図３参照）。
包装用箱に収容包装される商品Ａは、上記立設片１の上端辺Ｘに載せられた状態で収容包装されるようになっている。
【００１１】
より詳しく説明すると、上記包装用箱の展開図（上記プラスチック製シート１０の形状）は、図４に示すように、プラスチック製シート材をプレスで裁断することにより型取られる。すなわち、この裁断により、第１側壁面１１ａ〜第４側壁面１１ｄ、上記立設片１、天井蓋１２、天井蓋係止片１３、天井部折り返し片１４、底蓋１５、底蓋係止片１６、底部折り返し片１７、および糊代１８の各構成部分が形成されるとともに、上記天井蓋１２に吊るし片２１形成用の切目３１が入れられ、該吊るし片２１に貫通孔２２（図１参照）形成用の切目３２が入れられ、天井蓋１２と天井蓋係止片１３との境目の両端部に切目３３が入れられ、底蓋１５と底蓋係止片１６との境目の両端部に切目３４が入れられる。
【００１２】
上記展開図において、側壁面形成部１１は、第１側壁面１１ａ〜第４側壁面１１ｄの順で構成され、第１側壁面１１ａから第４側壁面１１ｄが並ぶ方向に直交する側壁面の長手方向の一端側（上側）に天井蓋１２が連続して形成され、他端側（下側）に底蓋１５が連続して形成されている。そして、上記立設片１は、第１側壁面１１ａの側縁であって、天井蓋１２とは反対側（下側）である底蓋１５側から延設されている。また、上記天井蓋１２は、第２側壁面１１ｂの側壁の長手方向上側に延設されている。天井蓋係止片１３は、天井蓋１２の上側の先端に延設されている。天井部折り返し片１４は、第１側壁面１１ａの側壁の長手方向上側及び第３側壁面１１ｃの側壁の長手方向上側にそれぞれ延設されている。また、上記底蓋１５は、第２側壁面１１ｂの側壁の長手方向下側に延設されている。底蓋係止片１６は、底蓋１５の下側の先端に延設されている。底部折り返し片１７は、第１側壁面１１ａの側壁の長手方向下側及び第３側壁面１１ｃの側壁の長手方向下側にそれぞれ延設されている。また、上記糊代１８は、第４側壁面１１ｄの側縁であって、立設片１が延設する第１側壁面１１ａとは反対側に延設されている。そして、上記各延設は、一体的に行なわれている。
【００１３】
さらに、上記各切目３１〜３４は、図４に示す展開図において、実線で示されている部分に入れられている。すなわち、上記吊るし片２１は、台形状をしており、該吊るし片２１を形成するための切目３１は、吊るし片２１となる台形状の下底辺以外の辺に入れられており、台形吊るし片２１は台形状の下底辺において包装用箱に連続している。また、上記貫通孔２２（図１参照）は、略円形状をしており、該貫通孔２２を形成するための切目３２は、貫通孔２２となる円形状の上部の一部分以外の部分に入れられている。
【００１４】
本発明の包装用箱によれば、立設片１に、立設片１の上端辺Ｘと平行に折線２が設けられていることによって、包装用箱が振動した際に、折線２で折れ曲がり、商品を上辺Ｙで支えられるようになることで、商品が脱落するのを防ぐことができる。また、本発明の包装用箱によれば、折線２で折れ曲がって商品を上辺Ｙで支えることで、荷重を受ける立設片１の面積が増え、振動による衝撃が分散するので商品の破損を防ぐことができる。
【００１５】
本発明の立設片１には、図５に示すように、側壁面構成部分（第１側壁面）１１ａと連続する上端側に、上辺Ｙと側壁面構成部分（第１側壁面）１１ａとが離間するように切り欠き部３が設けられていることが好ましい。切り欠き部３が設けられていることによって、折線２で折れ曲がりやすくなり、商品の脱落をより防ぐことができる。
切り欠き部３の、第１側壁面１１ａの外縁から垂直方向の長さは、立設片１の強度を維持する観点から、立設片１の上端辺Ｘの第１側壁面１１ａの外縁から垂直方向の長さの半分以下であることが好ましい。
【００１６】
本発明の立設片１は、図６に示すように、切り欠き部３の端縁が、少なくとも立設片１の上辺Ｙとの境界（辺４）が曲線で形成されていることが好ましい。立設片１の上辺Ｙとの境界（辺４）が曲線で形成されていることによって、切り欠き部３に加わる衝撃を分散することができ、切り欠き部３からの破損を防ぐことができる。
【００１７】
本発明の立設片１は、図７に示すように、立設片１の上辺Ｙが立設片１の延設方向の中間領域において、折線２に至る切目５が少なくとも１つ入れられていることが好ましい。立設片１の上辺Ｙに切目５があることによって、折線２が部分的に折れ曲がることができるようになるので、折線２で折れ曲がりやすくなり、商品の脱落をより防ぐことができる。
図７において、切目５は、１つとして示したが、複数であっても構わない。
【００１８】
本発明の立設片１は、図８に示すように、立設片１の上辺Ｙに段差６が少なくとも１つ設けられていることが好ましい。立設片１の上辺Ｙに段差６があることによって、折線２で折れ曲がりやすくなり、商品の脱落をより防ぐことができる。
図８において、段差６は、１つとして示したが、複数であっても構わない。
【００１９】
本発明の立設片１の折線２は、プラスチック製シート１０の厚さ方向の途中まで切れ目をいれるハーフカット加工、又は断続的にカットするミシン目加工、或いはハーフカットを断続的に設けるハーフカットミシン目加工により設けることが好ましい。折線２がミシン目加工等により設けることで、折線２で折れ曲がりやすくなり、商品の脱落をより防ぐことができる。
【００２０】
包装用箱の作製には、１枚のシート状の展開図より箱体を作製する自動組み立て装置（カートナー）等が用いられている。本発明の上記プラスチック製シート１０に対しても、自動組み立て装置等を用いることにより包装用箱を作製する。
【００２１】
包装用箱の作製方法としては、自動組み立て装置等によって、まず、上記第１側壁面１１ａ〜第４側壁面１１ｄ，立設片１等の各構成部分が互いに隣接し合う境目を折り目（図４に示す展開図において示した１点鎖線）として、第１側壁面１１ａと立設片１との境目の折り目４１が約１３５度山折りされ、それ以外の折り目が９０度山折りされる。
つづいて、糊代１８の表面に接着剤が塗布され、第１側壁面１１ａの外面と糊代１８の表面とが当接されて接着される（図２参照）。
つづいて、天井部では、天井部折り返し片１４の上に天井蓋１２が位置決めされるとともに、天井蓋係止片１３が第４側壁面１１ｄの内側に位置決めされる。底部では、底部折り返し片１７の下に底蓋１５が位置決めされるとともに、底蓋係止片１６が第１側壁面１１ａの内側に位置決めされる。
このようにして、上記包装用箱を作製することができる。なお、この包装用箱に収容包装される商品Ａは、包装用箱が作製されている途中の工程で上記立設片１の上方に対応する位置に位置決めしてもよいし、包装用箱が作製されたのちに収容包装してもよい。
【００２２】
上記包装用箱に収容包装された商品Ａが、コンビニエンスストア等において吊り棒に吊るして陳列する場合には、図１に示すように、上記天井蓋１２から吊るし片２１を切目３１（図４参照）で切り離して立ち上げて貫通孔２２を切目３２（図４参照）で切り離して形成し、該貫通孔２２に上記吊り棒を挿通させるようにする（図示せず）。
【００２３】
上記実施の形態の包装用箱によれば、底部に略長方形状の立設片１が設けられ、商品Ａを該立設片１の上端辺Ｘに載せた状態で収容包装できるようになっているため、商品Ａを大きく見せたり、目立たせたりすることができる。その結果、商品Ａをアピールしたり、見栄えよくしたりすることができ、商品Ａの販売を促進することができる。
【００２４】
また、上記包装用箱は、１枚の透明なプラスチック製シート１０を折り曲げて組み立てることにより作製されているため、従前より用いられている自動組み立て装置等を用いることができる。その結果、真空成形が必要なブリスターパックの作製と比較すると、包装用箱の作製は簡単であり、コストも低減することができる。
【００２５】
さらに、上記包装用箱では、立設片１が第１側壁面１１ａの側縁であって、天井蓋１２とは反対側である底蓋１５側から一体的に延設されているため、上記立設片１の上端辺Ｘに商品Ａが載せられても、上記立設片１は、商品Ａの質量に対する強度が強くなっており、変形したり座屈したりし難くなっている。
【００２６】
そして、上記立設片１が設けられていることにより、包装用箱の底蓋１５と商品Ａとの間に空間Ｓができるが、該空間Ｓに商品Ａ説明の小冊子やサービス小物等を収容することができるため、該空間Ｓも有効に活用することができる（図１参照）。
【００２７】
なお、上記実施の形態では、包装用箱を１枚の透明なプラスチック製シート１０で作製したが、作製にかかるコストを抑えることができて、収容する商品Ａを見栄えよくすることができれば、透明性や材質等は、特に限定されるものではない。
プラスチック製シート１０の弾性率は、包装用箱の強度の観点から、ＪＩＳ Ｋ ７１１３に準じた測定にて、２２００ＭＰａ以上であることが好ましい。
【００２８】
図２に示すように、包装用箱の底部最大幅Ｐと商品Ａの底部最大幅Ｑとの比［Ｐ／Ｑ］が、１．４２〜１．７３、好ましくは１．４５〜１．６５の範囲であると、商品の脱落をより防ぐことができ、また商品の出し入れが容易になる。
【００２９】
また、包装用箱の形状も、略直方体状に限定されるものではなく、他の略多角柱状や略多角錐状や略多角錐台状でもよい。
【実施例】
【００３０】
以下、本発明を実施例によりさらに詳細に説明するが、本発明はその要旨を越えない限り、以下の実施例に限定されない。
【００３１】
（実施例１）
実施例１に係る包装用箱として、図４に示した展開図により作成された包装用箱（底部最大幅２８．９９ｍｍ）を用意する。この包装用箱には、商品として、細長い略円柱状の口紅（底部最大幅１９．１７ｍｍ）を収容包装した。サンプルとして、３０本を用意した。
包装用箱を製造する透明なプラスチック製シートとして、弾性率が２８００ＭＰａのポリプロピレン（ＰＰ）を採用した。
【００３２】
（比較例１）
包装用箱として、立設片１に折線２が無いものを用いた以外は、実施例１と同様である。
【００３３】
＜振動試験＞
上記の実施例１及び比較例１の包装用箱を用いて、振動試験を行った。輸送包装試験機（アイデックス株式会社製「ＢＦ−５０ＵＴ」）を用い、振動を８０分間与えた後において、包装用箱に収納した商品が立設片１から脱落した発生数及び発生率の結果を表１に示す。
【００３４】
【表１】
2016124580.tif 000003
【００３５】
表１より、実施例１の包装用箱では、商品が立設片１から脱落したサンプルは無かった。一方、比較例１の包装用箱では、商品が立設片１から脱落したサンプルは３本あり、発生率は１０％であった。このことより、実施例１の包装用箱は、比較例１の包装容器に比べて、立設片１から商品の脱落の発生を抑制していることが分かる。
【００３６】
＜正立衝撃試験＞
上記の実施例１及び比較例１の包装用箱を用いて、正立落下試験を行った。正立落下試験は、包装用箱の下面をプラスチックタイルの床に向けて落下させる試験である。
正立落下試験は、落下高さ２０ｃｍから包装用箱の下面を床に向けて落下させ、立設片１から商品が脱落するまでの回数を記録する。なお、正立落下試験の回数は、最高２０回とする。結果を表２に示す。
【００３７】
【表２】
2016124580.tif 000004
【００３８】
表２より、実施例１の包装用箱では、２０回の正立衝撃試験で、立設片１から商品が脱落しなかった。一方、比較例１の包装用箱では、２〜６回の正立衝撃試験で、商品が立設片１から脱落した。このことより、実施例１の包装用箱は、比較例１の包装容器に比べて、立設片１から商品の脱落の発生を抑制していることが分かる。
【産業上の利用可能性】
【００３９】
本発明の包装用箱は、口紅、香水、マニキュア等の化粧料を収容する柱状のケースに入った商品の包装用箱として好適に用いられる。
【符号の説明】
【００４０】
１…立設片
２…折線
３…切り欠き部
５…切目
６…段差
１０…プラスチック製シート
１１ａ…第１側壁面
１１ｂ…第２側壁面
１１ｃ…第３側壁面
１１ｄ…第４側壁面
１２…天井蓋
１３…天井蓋係止片
１４…天井部折り返し片
１５…底蓋
１６…底蓋係止片
１７…底部折り返し片
１８…糊代
２１…吊るし片
２２…貫通孔
３１〜３４…切目
５０…陳列台
５１…挿入穴
６０…陳列トレイ
６１…前板
Ｘ…上端辺
Ｙ…上辺
Ｐ…包装用箱の底部最大幅
Ｑ…商品の底部最大幅
【図１】
2016124580.tif 000005
【図２】
2016124580.tif 000006
【図３】
2016124580.tif 000007
【図４】
2016124580.tif 000008
【図５】
2016124580.tif 000009
【図６】
2016124580.tif 000010
【図７】
2016124580.tif 000011
【図８】
2016124580.tif 000012